(57)【要約】【課題】着脱が容易であるとともに、安定して取り付けられる収納手段を有するハンギング収納装置を提供する。【解決手段】建物室内壁面に水平に設けられた横材を具備し、該横材に沿ってレール部５０が設けられた下地材４０と、下地材のレール部に係合離脱可能に配置される収納手段１２と、を備え、収納手段が、レール部に係合されたレール部に係合するとともに、収納手段の下方への移動を禁止する下側レール係合部材１６と、下側レール係合部材と連結分離可能であるとともに、レール部に係合して、収納手段の上方への移動を禁止する上側レール係合部材１５とを有するものとする。【選択図】図９
2008002210.tif 000002
【特許請求の範囲】
【請求項１】
建物室内壁面に水平に設けられた横材を具備し、該横材に沿ってレール部が設けられた下地材と、
前記下地材の前記レール部に係合離脱可能に配置される収納手段と、を備え、
前記収納手段が、前記レール部に係合された姿勢で、
前記レール部に係合するとともに、前記収納手段の下方への移動を禁止する下側レール係合部材と、
前記下側レール係合部材と連結分離可能であるとともに、前記レール部に係合して、前記収納手段の上方への移動を禁止する上側レール係合部材と、を有する、ハンギング収納装置。
【発明の詳細な説明】
【技術分野】
【０００１】
本発明は、建物室内の壁面に備えられるハンギング収納装置に関し、詳しくは着脱が容易であるとともに、取り付け安定性が向上された収納手段を備えるハンギング収納装置に関する。
【背景技術】
【０００２】
近年、居室内の収納に対して関心が高まり、実用性、意匠性のみでなく、居住者の好みに合わせてその収納棚の配置を変更できる自由度の高い収納装置が求められている。
【０００３】
このような収納装置の１つにハンギング収納装置という形式の収納装置がある。これは、建物の室内壁面に沿って複数のパネルを配置し、該パネルとパネルとの間に室内空間側に突出させた板等を差し込むように配置して、この板を収納棚とするという装置である。これによれば、パネルとパネルとの間であれば板の配置をある程度利用者の自由に設定することができ、上記のような自由度の高い収納装置とすることができる。
【０００４】
特許文献１には、パネル側に断面において斜め上方に湾曲して設けられた溝と、該溝と係合離脱可能に斜め上方に湾曲して設けられた挿入係止部を有する取付具を備えた棚板と、を具備する収納装置が開示されている。これによれば棚板を溝に取り付けるとき溝に挿入係止部に沿わせて挿入し、棚板をパネル面に係止させることができる。そして溝と挿入係止部とは上記のように上方に湾曲しているので、棚板に物を載せた場合に適切にこれを保持することができるというものである。
【特許文献１】実用新案登録第３０７８６９２号公報
【発明の開示】
【発明が解決しようとする課題】
【０００５】
しかし、特許文献１に記載の収納装置では、棚板に負荷された上からの荷重に対しては適するものであっても、下からの力により棚が外れてしまう場合があった。これは例えば、人が屈んで作業をした後、立ち上がったときに頭を棚板にぶつけてしまったときに、棚板が外れてしまう虞もあった。これを防止するためにねじ止め等により固定することが考えられるが、この場合には、棚板の配置を変更するとき、ねじを取り去らなければならず、取り外し後にねじ孔が見えるという不具合もあった。特許文献１に記載の収納装置に限らず従来の収納装置でも上記課題を有していた。
【０００６】
そこで本発明はかかる観点から、着脱が容易であるとともに、安定して取り付けられる収納手段を有するハンギング収納装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物室内壁面に水平に設けられた横材を具備し、該横材に沿ってレール部（５０）が設けられた下地材（４０）と、下地材のレール部に係合離脱可能に配置される収納手段（１２）と、を備え、収納手段が、レール部に係合されたレール部に係合するとともに、収納手段の下方への移動を禁止する下側レール係合部材（１６）と、下側レール係合部材と連結分離可能であるとともに、レール部に係合して、収納手段の上方への移動を禁止する上側レール係合部材（１５）と、を有する、ハンギング収納装置（１０）を提供することにより前記課題を解決する。
【発明の効果】
【０００９】
請求項１の発明によれば、収納手段が取り付けられた姿勢で該収納手段の上下方向の移動が禁止されているので、該収納手段に上からだけでなく下からの力が負荷されても、収納手段はレール部と係合している部位で上下動することがない。これにより収納手段が安定して設置されるハンギング収納装置を提供することができる。
【００１０】
さらには、レールとの係合部が連結分離可能な２つの部材から構成されているので、一方をレールから離脱させることにより他方もレールから離脱し、これにより収納手段を容易に取り外すことが可能であり、逆に取り付けることも容易である。従って、利用者が収納手段の位置を変更することが容易であり、変更自由度の高いハンギング収納装置を提供することができる。
【００１１】
本発明のこのような作用及び利得は、次に説明する発明を実施するための最良の形態から明らかにされる。
【発明を実施するための最良の形態】
【００１２】
以下、本発明を図面に示す実施形態に基づき説明する。
【００１３】
図１は１つの実施形態にかかる本発明のハンギング収納装置１０が、建物の室内壁面に備えられた姿勢における室内側斜視図である。図１では、見易さのために繰り返しとなる構成要素の一部の符号を省略している。ハンギング収納装置１０は、図１のように、室内空間側からの視線で室内壁面に沿って縦横に配列された装飾パネル１１、１１、…を備えている。そして装飾パネル１１と、装飾パネル１１との間には縦横ともに間隙が設けられている。当該間隙には収納手段１２が取り付けられ、該収納手段１２は、棚板１３と、該棚板１３をハンギング収納装置１０に固定する取付部材１４、１４とを有している。
【００１４】
本実施形態では、装飾パネル１１、１１、…は水平方向に４列、鉛直方向に３段設けられ、合計１２枚の装飾パネル１１、１１、…が用いられている。また、収納手段１２が１つ備えられている。しかし、これら数量は特に限定されることなく、利用者の好み、壁面が許容する範囲で適宜増減することができる。本実施形態の装飾パネル１１、１１、…は正方形のパネルであるが、この形状も正方形に限定されることはなく、長方形等の他の形状であってもよい。そしてその大きさも特に限定されるものではない。
【００１５】
図２はハンギング収納装置１０の主要な構成を示す分解斜視図である。ハンギング収納装置１０は、室内壁面側から室内空間側に向けて下地材４０と、調整ピン２０、２０、…と、装飾パネル１１、１１、…と、収納手段１２とをこの順に備えている。以下にそれぞれについて説明する。
【００１６】
下地材４０は、図２に示したように複数の集合フレーム４１、４１、４１、及び横レール５０、５０を備えている。ここで集合フレーム４１は、横材４３、４３と縦材４４、４４とにより形成された単位フレーム４２を複数備えている。さらに、該単位フレーム４２、４２、…は所定の間隙を有して水平方向に並列に並べられるとともに、隣り合う端部同士がレール状断面を有する縦レール４５、４５、…で連結されている。従って、下地材４０では、全体として縦レール４５、４５、…と横レール５０、５０とにより格子が形成されており、該格子によっても単位フレーム４２、４２、…に相当するフレームが構成されている。
【００１７】
さらに詳しく下地材４０について説明する。図３は下地材４０を室内空間側から見た正面図で、その一部（上端の左側端部）に注目して示した図である。また、図４には図３に対応する上面図、図５には図３にＡ−Ａで示した線に沿った断面図をそれぞれ示した。図４では紙面下が室内空間側、紙面上が室内壁面側である。また図５では紙面左が室内壁面側、紙面右が室内空間側である。図２〜図５を参照しつつ下地材４０についてさらに説明する。
【００１８】
図３からわかるように下地材４０は、室内空間側からの正面視で縦材４４の上下両端部に水平方向を長手方向としたスリット４４ａ、４４ａを備えている。さらに縦材４４には、スリット４４ａ、４４ａの上方又は下方に貫通孔４６、４６が設けられている。この貫通孔４６、４６は大小２つの円形孔４６ａ、４６ｂがその中心位置をずらして連結された形状を有しており、大径の円形孔４６ａが上、小径の円形孔４６ｂが下に配置されている。また横レール５０は図２からもわかるように水平に設けられた部材で、集合フレーム４１、４１の上下方向の間に具備される。ここで、横レール５０の上下端部には、スリット４４ａの上方又は下方に２つの孔５０ａ、５０ａが設けられている。
【００１９】
図４からわかるように下地材４０は、１つの単位フレーム４２と他の単位フレーム４２とがその端部で縦レール４５を介して連結されている。縦レール４５は、横断面において室内空間側（図４の紙面下側）に開口した略コの字型を有するとともに、該開口部がコの字内側より狭くされるように片４５ａ、４５ａを備えており、レール状の断面とされている。
【００２０】
さらに図５からわかるように下地材４０における横レール５０はその断面において、縦レール４５と同様に開口部を室内空間側（図５の紙面右側）に開口され、開口部が内側より狭くされた片５０ｅ、５０ｆを有するコの字型部５０ｂを備えている。さらに横レール５０は、該コの字型部５０ｂの上下端部のそれぞれから上方又は下方に延在した片５０ｃ、５０ｄを備えている。そして、該片５０ｃ、５０ｄが集合フレーム４１の横材４３、４３に当接されている。さらには、該集合フレーム４１及び横レール５０の室内壁面側（図５の紙面左側）に、集合フレーム４１と横レール５０とを渡して配置された連結部材５５が具備されている。そして、集合フレーム４１又は横レール５０と、連結部材５５とを貫き、室内壁まで到達する固定部材５６、５６、…及び室内壁面に到達しない短い固定部材５７、５７により集合フレーム４１及び横レール５０は、共に室内壁面に取り付けられる。このとき固定部材５６、５６、…及び固定部材５７、５７を取り付けるために図３で示したスリット４４ａ又は孔５０ａ、５０ａが用いられる。
【００２１】
次に調整ピン２０について説明する。調整ピン２０は、一端を上記下地材４０に係止して取り付けられ、他端を装飾パネル１１、１１、…に固定して取り付けられる部材である。その配置については後で説明する。
【００２２】
次に装飾パネル１１、１１、…について説明する。装飾パネル１１、１１、…は、図１、図２に示したように、室内における意匠性を高めるために配置される板材である。従って、装飾パネル１１、１１、…の室内空間側面は利用者の好みに応じた装飾が施されている。一方、装飾パネル１１、１１、…の室内壁面側の面には、上記調整ピン２０が取り付けられる位置に、調整ピン２０の端部が挿入できる凹部１１ａ、１１ａが設けられている（図８参照）。
【００２３】
次に収納手段１２について説明する。収納手段１２は、図２に示したように、棚板１３と、取付部材１４とを備えている。棚板１３は、収納品を収納する部位で、本実施形態では水平に配置された板材である。棚板は収納品を適切に収納することができればその形態は限定されるものではない。これには例えば、水平の板材の一面側に立設された２枚の板と、該板の上端を渡して水平に取り付けられた板と、により箱体が形成された収納棚を挙げることができる。本実施形態では最も典型的な一例として１枚の板材が水平に配置された棚板を挙げたものである。棚板１３の室内壁面側端部にはその厚み方向に貫通した孔１３ａ、１３ａ、…を有している（図２及び図９参照）。
【００２４】
図６に取付部材１４の分解斜視図を、図７に取付部材１４の縦断面図を示した。図６は、紙面左側が室内空間側、紙面右側が室内壁面側とされる向き、図７は紙面右側が室内空間側、紙面左側が室内壁面側とされる向きである。図６及び図７を参照しつつ取付部材１４について説明する。取付部材１４は、上側レール係合部材１５と、下側レール係合部材１６と、棚受けカバー１７と、棚受け１８とを備えている。
【００２５】
上側レール係合部材１５は、下部が開口した箱体である基体１５ａと、基体１５ａの上面の室内壁面側端部に該端部に平行に水平に設けられた棒状のレール係合部１５ｂを備えている。さらに、図７からわかるように基体１５ａの箱体である内側には、上側レール係合部材１５の内側面上部から下方へ延在する円柱状である突起１５ｃが設けられる。
【００２６】
上側レール係合部材１５は、後述するように、下側レール係合部材１６に連結されるとともに、横レール５０のコの字型部５０ｂの内側へ係合されるので、そのとき所定の弾性変形を許容する材料で構成されることが好ましい。これには例えばＡＢＳ樹脂等の樹脂により構成されることを挙げることができる。
【００２７】
下側レール係合部材１６は、板状の部材であり、基板１６ａと、基板１６ａの室内壁面−室内空間方向中心線に沿って基板１６ａの上面から該上面の一部が突出するように設けられる突部１６ｂとを備えている。さらに基板１６ａ及び突部１６ｂの壁側端部は、下方に曲げられて形成されるレール係合部１６ｃを有している。加えて下側レール係合部材１６には、上記上側レール係合部材１５の突起１５ｃに着脱可能に孔１６ｄが設けられるとともに、室内空間側端部に２つの貫通長孔１６ｅ、１６ｅが備えられている。
【００２８】
棚受けカバー１７は、室内壁面側に開口を有した箱体である部材で、意匠性向上のために下壁と室内空間側壁とが形成する角部が切りかかれた形状を有している。上壁には、上記下側レール係合部材１６の貫通長孔１６ｅ、１６ｅに対応する位置に当該上壁を貫通する孔１７ｅ、１７ｅが設けられている。
【００２９】
棚受け１８は、縦断面がＬ字型を有する部材であり、Ｌ字型断面における１辺を上片１８ａとされ、他辺は該上片の室内壁面側端部から下方に延在するように配置された側片１８ｂとされる。そして、この上片１８ａの上記貫通長孔１６ｅ、１６ｅ、及び孔１７ｅ、１７ｅに対応した位置には、ねじ孔１８ｅ、１８ｅが備えられている。
【００３０】
かかる構成を備える取付部材１４は、取り付けられた姿勢では、次のように配置されている。実際に棚板１３や下地材４０に取り付けられるときにはこれら部材との関係で、取付部材１４が組み立てられる手順が決められるが、これについては後で説明する。ここでは、取付部材１４が取り付けられた姿勢において各構成要素がどのように配置されるかについて説明する。図７からわかるように、上側レール係合部材１５と、下側レール係合部材１６とは、上記突起１５ｃが、孔１６ｄに嵌め込まれることにより互いに連結する。このとき、上側レール係合部材１５のレール係合部１５ｂと、下側レール係合部材１６のレール係合部１６ｃとが、略鉛直方向上下に並べられるように配置される。その間隔は、横レール５０のコの字型部５０ｂの内側上下方向距離と略同一とされる。
【００３１】
棚受けカバー１７は、下側レール係合部材１６の下方に配置される。このとき、棚受けカバー１７は、下側レール係合部材１６と所定の間隔を有して配置される。当該所定の間隔は、具体的には後述するように棚板１３の厚さに相当するものである。また、棚受けカバー１７の壁側位置は、下側レール係合部材１５よりも室内空間側に配置される。これは、後述するようにこの位置の差により、この間に装飾パネル１１や装飾パネル１１と下地材４０との間隙等が具備されることによるものである。
【００３２】
棚受け１８は、棚受けカバー１７の内側に、上片１８ａの上面が棚受けカバー１７の箱体である内側の上面に接するように配置される。このとき、鉛直である側片１８ｂの室内壁面側面は、棚受けカバー１７の室内壁面側端面と面一な位置とされる。そして、上記下側レール係合部材１６と、棚受けカバー１７と、棚受け１８とは、これらに備えられた貫通長孔１６ｅ、１６ｅ、孔１７ｅ、１７ｅを貫通し、ねじ孔１８ｅ、１８ｅにねじ込まれる２つの固定部材１９（図６では不図示、図７では一方のみが表れている。）によって連結されている。このように固定部材１９によって連結されているので、下側レール係合部材１６と棚受けカバー１７との間隙を変更することができる。これにより、後述するようにこの位置に配置される棚板１３の厚さが変わっても取付部材１４自体を交換することなく使用することができる。
【００３３】
以上のような各要素を有するハンギング収納装置１０は例えば次のように該各要素を配置して利用される。図８はハンギング収納装置１０の縦断面図のうち、上部及び収納手段１２が備えられた部位に注目して示した図である。また、図８では紙面左が室内壁面側、紙面右が室内空間側である。上述のように本発明のハンギング収納装置１０は、室内壁面側から室内空間側に向けて、下地材４０と、調整ピン２０と、装飾パネル１１とをこの順に備える。そして装飾パネル１１、１１の間の室内壁面側に配置される横レール５０に収納手段１２が取り付けられる。
【００３４】
下地材４０の室内壁面への取り付けは上述したように、固定部材５６、５６、…によって行われる。一方、調整ピン２０、２０、…及び装飾パネル１１、１１、…は、下地材４０に取り付けられる前に、予め組み合わせられている。具体的には、装飾パネル１１の室内壁面側の面に調整ピン２０の一端を固定する。これにより、装飾パネル１１の室内壁面側の面には、調整ピン２０の他端側が突出して配置される。
【００３５】
次に、調整ピン２０が取り付けられた装飾パネル１１における突出して配置された他端を下地材４０の孔４６ａ（図３参照）に差し込むように配置する。このとき調整ピン２０の他端側は、大小２つの外径を有する円筒状の部材が同軸に連結された形態を有しており、大径である円筒状部材は孔４６ａを貫通することができるが、孔４６ｂを通過することができないように形成されている。そして、大径の円筒状部材が孔４６ａを貫通して差し込まれる。すると、孔４６ａの内側には小径の円筒状部材が配置される。次に装飾パネル１１をわずかに下方に移動させると調整ピン２０の他端も下に移動し、小径の円筒状部材は孔４６ｂの内側へ移動する。このとき上記のように大径の円筒状部材は孔４６ｂを貫通することができないので、装飾パネル１１は孔４６ｂに引っ掛かるように下地材４０に係止され、安定して取り付けられる。
【００３６】
次に収納手段１２の取り付けの一例について説明する。図９は、図８の収納手段１２が取り付けられた部分に注目して示した図である。図８及び図９を参照しつつ説明する。収納手段１２は、下地材４０の横レール５０にその一端を取り付けられる。具体的には次の通りである。始めに、棚板１３の室内壁面側端部の上面に下側レール係合部材１６を載置する。また、棚板１３の室内壁面側端部の下面に、図７で説明したように棚受けカバー１７と棚受け１８とが配置される。このとき、棚受けカバー１７の上面は棚板１３の下面に接して配置される。そして、下側レール係合部材１６の貫通長孔１６ｅ、１６ｅ、棚板１３の孔１３ａ、棚受けカバー１７の孔１７ｅ、及び棚受け１８のねじ孔１８ｅは略同軸となるように配置され、これを貫通し、ねじ孔１８ｅにねじ込まれる固定部材１９により連結される。
【００３７】
次に、このように連結された、下側レール係合部材１６、棚板１３、棚受けカバー１７、及び棚受け１８に関し、下側レール係合部材１６の室内壁面側端部を装飾パネル１１、１１の間隙を貫通させるとともに横レール５０のコの字型部５０ｂの内側に配置する。このときレール係合部１６ｃが横レール５０のコの字型部５０ｂの開口に設けられた下側の片５０ｆに引っ掛かるようにされる。また、棚板１３、棚受けカバー１７、及び棚受け１８の室内壁面側端面は、下側レール係合部材１６が差し込まれる装飾パネル１１、１１の間隙を形成する２枚のうちの下側の装飾パネル１１の室内空間側面に当接される。これによって、下側レール係合部材１６、棚板１３、棚受けカバー１７、及び棚受け１８は、下地材４０に設置される。
【００３８】
さらに、上記設置された下側レール係合部材１６、棚板１３、棚受けカバー１７、及び棚受け１８の下側レール係合部材１６の上から上側レール係合部材１５が上述したように取り付けられる。このとき上側レール係合部材１５の室内壁面側端部は、装飾パネル１１、１１の間隙を貫通し、さらに横レール５０のコの字型部５０ｂの内側に配置される。このときレール係合部１５ｂが横レール５０のコの字型部５０ｂの開口に設けられた上側の片５０ｅに引っ掛かるようにされる。上側レール係合部材１５は上記のように所定の弾性変形が許容される部材により構成されているので、容易に取り付けることができる。
【００３９】
また、装飾パネル１１が隣の装飾パネル１１との位置の関係で、室内空間側、又は室内壁面側に若干の移動が必要とされる場合がある。このとき、収納手段１２では、下側レール係合部材１６の貫通長孔１６ｅ、１６ｅが長孔とされているので、下側レール係合部材１６を移動させずに、装飾パネル１１の移動に追随させて貫通長孔１６ｅ、１６ｅの範囲で、棚板１３、棚受けカバー１７、及び棚受け１８のみを移動させることができる。
【００４０】
収納手段１２を取り外すときには上記説明を遡るように行えば良い。ここで、収納手段１２の位置を変更するために取り外すのであれば、固定部材１９まで取り外して分解することはなく、下側レール係合部材１６、棚板１３、棚受けカバー１７、及び棚受け１８が固定部材１９で連結された姿勢で全体を移動させるのみでよい。よって容易に収納手段１２の移動をすることができる。
【００４１】
以上のように収納手段１２が横レール５０に取り付けられることにより、棚板１３に下から力がかけられたときでも、取付部材１４が横レール５０から外れることがなく、取り付け安定性の高い収納手段を有するハンギング収納装置１０を提供することができる。
【００４２】
また、以上のように取り付け安定性が高いにもかかわらず、収納手段１２の取り付けに際してねじ等の固定部材によらないので、着脱容易とすることができる。これにより、利用者による収納手段の配置の変更自由度の高いハンギング収納装置１０を提供することができる。
【００４３】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴うハンギング収納装置も本発明の技術的範囲に包含されるものとして理解されなければならない。
【図面の簡単な説明】
【００４４】
【図１】１つの実施形態にかかる本発明のハンギング収納装置の外観斜視図である。
【図２】図１に示したハンギング収納装置の分解斜視図である。
【図３】下地材の一部を拡大して示した室内視正面図である。
【図４】図３の上面図である。
【図５】図３にＡ−Ａで示した部位における断面図である。
【図６】取付部材の分解斜視図である。
【図７】取付部材の縦断面図である。
【図８】ハンギング収納装置の縦断面図でその一部を示した図である。
【図９】図８の収納手段の部位に注目して示した図である。
【符号の説明】
【００４５】
１０  ハンギング収納装置
１１  装飾パネル
１２  収納手段
１３  棚板
１４  取付部材
１５  上側レール係合部材
１６  下側レール係合部材
１７  棚受けカバー
１８  棚受け
２０  調整ピン
４０  下地材
４１  フレーム
４２  単位フレーム
４３  横フレーム
４４  縦フレーム
４５  縦レール
４６  孔
５０  横レール
５５  連結部材
５６  固定部材
【図１】
2008002210.tif 000003
【図２】
2008002210.tif 000004
【図３】
2008002210.tif 000005
【図４】
2008002210.tif 000006
【図５】
2008002210.tif 000007
【図６】
2008002210.tif 000008
【図７】
2008002210.tif 000009
【図８】
2008002210.tif 000010
【図９】
2008002210.tif 000011